(57)【要約】【課題】  高い精度で組み立てを行うことが可能な表示装置を提供する。【解決手段】  表示装置ＤＳＰは、本体Ｍ及び第１突起Ｐ１ａを有する照明装置ＩＬと、表示セルＣＬ及び第１光学フィルムＯＦ１を具備する表示パネルＰＮＬと、を備える。表示セルＣＬの第１周辺領域ＡＰ１は、第１領域ＡＰ１ａと、折れ曲がる第２領域ＡＰ１ｂと、を含んでいる。第１光学フィルムＯＦ１は、中央部Ｈと、第１周辺部Ｉ１と、を含んでいる。表示パネルＰＮＬは、第１溝部Ｖ１ａと、第１凹部ＣＯ１ａと、を有する。第１凹部ＣＯ１ａは、第１周辺領域ＡＰ１が存在する領域に位置し、第１突起Ｐ１ａに向かって開口し、第１突起Ｐ１ａが嵌まり、第１突起Ｐ１ａとともに照明装置ＩＬに対する表示パネルＰＮＬの相対的な位置を決定する。【選択図】  図８
2020027203.tif 000002
【特許請求の範囲】
【請求項１】
上面、第１側面、並びに前記上面及び前記第１側面の間にて直線状に延在する第１角部を含み光を放出する板状の本体と、前記本体に固定され前記第１側面から突出する第１突起と、を有する照明装置と、
前記上面と対向する中央領域及び前記中央領域から延出する第１周辺領域を含み画像を表示する表示セルと、前記表示セルに固定され前記表示セルと前記照明装置との間に位置する第１光学フィルムと、を具備する表示パネルと、を備え、
前記第１周辺領域は、前記第１側面と対向する第１領域と、前記第１領域と前記中央領域との間に位置し折れ曲がる第２領域と、を含み、
前記第１光学フィルムは、前記上面に接触する中央部と、前記中央部に間隔を空けて位置し前記第１側面に接触する第１周辺部と、を含み、
前記表示パネルは、
前記中央部と前記第１周辺部との間に形成され前記第１角部と対向し前記第１角部に沿って延在し前記第１角部から前記第２領域に向かって凹んだ第１溝部と、
前記第１周辺領域が存在する領域に位置し前記第１突起に向かって開口し前記第１突起が嵌まり前記第１突起とともに前記照明装置に対する前記表示パネルの相対的な位置を決定する第１凹部と、を有する、
表示装置。
【請求項２】
前記照明装置は、前記本体に固定され前記第１側面から突出し前記第１角部が延在する方向に前記第１突起に間隔を空けて位置した他の第１突起をさらに有し、
前記表示パネルは、前記第１周辺領域が存在する領域に位置し前記他の第１突起に向かって開口し前記他の第１突起が嵌まり前記他の第１突起とともに前記照明装置に対する前記表示パネルの相対的な位置を決定する他の第１凹部を有する、
請求項１に記載の表示装置。
【請求項３】
前記第１周辺領域に位置した第１ドライバをさらに備え、
前記第１凹部は、前記表示パネルにて前記第１周辺領域が存在する領域のうち、前記第１角部が延在する方向における前記第１ドライバの両側に位置している、
請求項１に記載の表示装置。
【請求項４】
前記上面は、四角形の形状を有し、
前記本体は、前記第１側面から連続して設けられた第２側面と、前記上面及び前記第２側面の間にて直線状に延在する他の第１角部と、をさらに含み、
前記照明装置は、前記本体に固定され前記第２側面から突出する第２突起をさらに有し、
前記表示セルは、前記中央領域から延出する第２周辺領域をさらに含み、
前記第２周辺領域は、前記第２側面と対向する他の第１領域と、前記他の第１領域と前記中央領域との間に位置し折れ曲がる他の第２領域と、を含み、
前記第１光学フィルムは、前記中央部に間隔を空けて位置し前記第２側面に接触する第２周辺部をさらに含み、
前記第１溝部は、前記中央部と前記第２周辺部との間にさらに形成され前記他の第１角部と対向し前記他の第１角部に沿って延在し前記他の第１角部から前記他の第２領域に向かって凹み、
前記表示パネルは、前記第２周辺領域が存在する領域に位置し前記第２突起に向かって開口し前記第２突起が嵌まり前記第２突起とともに前記照明装置に対する前記表示パネルの相対的な位置を決定する第２凹部と、をさらに有する、
請求項１に記載の表示装置。
【請求項５】
前記第２周辺領域に位置した第２ドライバをさらに備え、
前記第２凹部は、前記表示パネルにて前記第２周辺領域が存在する領域のうち、前記他の第１角部が延在する方向における前記第２ドライバの両側に位置している、
請求項４に記載の表示装置。
【請求項６】
前記表示パネルは、前記表示セルに固定され前記表示セルに対して前記第１光学フィルムの反対側に位置する第２光学フィルムをさらに具備し、
前記第２光学フィルムは、前記第１光学フィルムの前記中央部と対向する他の中央部と、前記他の中央部に間隔を空けて位置し前記第１光学フィルムの前記第１周辺部と対向する他の第１周辺部と、を含み、
前記表示パネルは、前記他の中央部と前記他の第１周辺部との間に形成され前記第１溝部に沿って延在し前記第１溝部側に凹んだ他の第１溝部を有する、
請求項１に記載の表示装置。
【請求項７】
前記本体は、前記上面の反対側の下面と、前記第１側面及び前記下面の間にて直線状に延在する第２角部と、をさらに含み、
前記第１周辺領域は、前記下面と対向する第３領域と、前記第１領域と前記第３領域との間に位置し折れ曲がる第４領域と、を含み、
前記第１周辺部は、前記中央部に間隔を空けて位置し前記第１側面に接触する第１部分と、前記第１部分に間隔を空けて位置し前記下面に接触する第２部分と、を有し、
前記表示パネルは、前記第１部分と前記第２部分との間に形成され前記第２角部と対向し前記第２角部に沿って延在し前記第２角部から前記第１周辺領域の前記第４領域に向かって凹んだ第２溝部をさらに有する、
請求項１に記載の表示装置。
【請求項８】
前記表示パネルは、前記表示セルに固定され前記表示セルに対して前記第１光学フィルムの反対側に位置する第２光学フィルムをさらに具備し、
前記第２光学フィルムは、前記第１光学フィルムの前記中央部と対向する他の中央部と、前記第１周辺部と対向する他の第１周辺部と、を含み、
前記他の第１周辺部は、前記他の中央部に間隔を空けて位置し前記第１部分と対向する他の第１部分と、前記他の第１部分に間隔を空けて位置し前記第２部分と対向する他の第２部分と、を有し、
前記表示パネルは、
前記他の中央部と前記他の第１部分との間に形成され前記第１溝部に沿って延在し前記第１溝部側に凹んだ他の第１溝部と、
前記他の第１部分と前記他の第２部分との間に形成され前記第２溝部に沿って延在し前記第２溝部側に凹んだ他の第２溝部と、をさらに有する、
請求項７に記載の表示装置。
【請求項９】
前記上面は、四角形の形状を有し、
前記本体は、前記第１側面の反対側の第３側面と、前記上面及び前記第３側面の間にて直線状に延在する他の第１角部と、をさらに含み、
前記表示セルは、前記中央領域から延出する第３周辺領域をさらに含み、
前記第３周辺領域は、前記第３側面と対向する他の第１領域と、前記他の第１領域と前記中央領域との間に位置し折れ曲がる他の第２領域と、を含み、
前記第１光学フィルムは、前記中央部に間隔を空けて位置し前記第３側面に接触する第３周辺部をさらに含み、
前記第１溝部は、前記中央部と前記第３周辺部との間にさらに形成され前記他の第１角部と対向し前記他の第１角部に沿って延在し前記他の第１角部から前記他の第２領域に向かって凹んでいる、
請求項１に記載の表示装置。
【請求項１０】
前記第１側面に接触する前記第１周辺部の当接面において前記第１周辺領域が延出する方向の長さは、前記第３側面に接触する前記第３周辺部の当接面において前記第３周辺領域が延出する方向の長さより長い、
請求項９に記載の表示装置。
【請求項１１】
前記第１溝部において、前記中央部と前記第１周辺部との間の幅は、前記中央部と前記第３周辺部との間の幅より狭い、
請求項９に記載の表示装置。
【請求項１２】
前記第１凹部は、前記表示セルの前記第１周辺領域を貫通する貫通孔を有し、
前記第１光学フィルムは、前記第１凹部を露出させている、
請求項１に記載の表示装置。
【請求項１３】
前記表示パネルは、前記表示セルに固定され前記表示セルに対して前記第１光学フィルムの反対側に位置する第２光学フィルムをさらに具備し、
前記第２光学フィルムは、前記貫通孔につなげられた窪みを有し、
前記第１凹部は、前記窪みをさらに有している、
請求項１２に記載の表示装置。
【請求項１４】
前記表示パネルにおいて、前記表示セルの厚みは、前記第１光学フィルムの厚み未満である、
請求項１に記載の表示装置。
【請求項１５】
前記第１光学フィルムは、偏光板を含んでいる、
請求項１に記載の表示装置。
【請求項１６】
前記表示セルは、樹脂で形成された第１絶縁基板と、樹脂で形成され前記第１絶縁基板に隙間を置いて対向配置された第２絶縁基板と、前記第１絶縁基板と前記第２絶縁基板との間に保持された液晶層と、を有する、
請求項１に記載の表示装置。
【発明の詳細な説明】
【技術分野】
【０００１】
本発明の実施形態は、表示装置に関する。
【背景技術】
【０００２】
一般に、表示装置として液晶表示装置などが知られている。例えば、液晶表示装置は、液晶表示パネルと、照明装置と、を備えている。液晶表示パネルは、表示領域と、表示領域を囲む非表示領域と、を備えている。ところで、液晶表示装置をモジュールに組み立てる際、高い精度で組み立てを行うことが求められている。
【先行技術文献】
【特許文献】
【０００３】
【特許文献１】特開平９−４３５７９号公報
【特許文献２】特開２００９−３００６５９号公報
【発明の概要】
【発明が解決しようとする課題】
【０００４】
本実施形態は、高い精度で組み立てを行うことが可能な表示装置を提供する。
【課題を解決するための手段】
【０００５】
一実施形態に係る表示装置は、
上面、第１側面、並びに前記上面及び前記第１側面の間にて直線状に延在する第１角部を含み光を放出する板状の本体と、前記本体に固定され前記第１側面から突出する第１突起と、を有する照明装置と、
前記上面と対向する中央領域及び前記中央領域から延出する第１周辺領域を含み画像を表示する表示セルと、前記表示セルに固定され前記表示セルと前記照明装置との間に位置する第１光学フィルムと、を具備する表示パネルと、を備え、
前記第１周辺領域は、前記第１側面と対向する第１領域と、前記第１領域と前記中央領域との間に位置し折れ曲がる第２領域と、を含み、
前記第１光学フィルムは、前記上面に接触する中央部と、前記中央部に間隔を空けて位置し前記第１側面に接触する第１周辺部と、を含み、
前記表示パネルは、
前記中央部と前記第１周辺部との間に形成され前記第１角部と対向し前記第１角部に沿って延在し前記第１角部から前記第２領域に向かって凹んだ第１溝部と、
前記第１周辺領域が存在する領域に位置し前記第１突起に向かって開口し前記第１突起が嵌まり前記第１突起とともに前記照明装置に対する前記表示パネルの相対的な位置を決定する第１凹部と、を有する。
【図面の簡単な説明】
【０００６】
【図１】図１は、一実施形態に係る表示装置を示す斜視図である。
【図２】図２は、上記表示装置を示す他の斜視図である。
【図３】図３は、上記表示装置の照明装置を示す斜視図である。
【図４】図４は、上記表示装置の表示パネル、駆動ＩＣ、及び配線基板を展開して示す平面図である。
【図５】図５は、上記表示パネルの表示セル、及び駆動ＩＣを示す回路図であり、一画素の回路構成を併せて示す図である。
【図６】図６は、図４の線ＶＩ−ＶＩに沿った上記表示パネルを示す断面図である。
【図７】図７は、上記表示パネルの一部を示す断面図である。
【図８】図８は、図１の線ＶＩＩＩ−ＶＩＩＩに沿った上記表示装置を示す断面図である。
【図９】図９は、図１の線ＩＸ−ＩＸに沿った表示装置を示す断面図である。
【図１０】図１０は、上記表示装置を組み立てる方法を説明するための断面図であり、上記表示パネルを折り曲げる前の状態を示す図である。
【図１１】図１１は、図１０に続く、上記表示装置を組み立てる方法を説明するための断面図であり、上記表示パネルを１回折り曲げた状態を示す図である。
【図１２】図１２は、上記実施形態の変形例１に係る表示装置を示す断面図である。
【図１３】図１３は、上記実施形態の変形例２に係る表示装置を示す断面図である。
【図１４】図１４は、比較例１に係る表示装置を示す断面図である。
【図１５】図１５は、比較例２に係る表示装置を示す断面図である。
【発明を実施するための形態】
【０００７】
以下に、本発明の実施形態、変形例、及び比較例について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（一実施形態）
まず、一実施形態に係る表示装置について説明する。図１は、一実施形態に係る表示装置ＤＳＰを示す斜視図である。図２は、表示装置ＤＳＰを示す他の斜視図である。図３は、表示装置ＤＳＰの照明装置ＩＬを示す斜視図である。
【０００９】
図１乃至図３に示すように、第１方向Ｘ、第２方向Ｙ、及び第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。以下の説明において、第３方向Ｚを示す矢印の先端に向かう方向を「上」と称し、矢印の先端から逆に向かう方向を「下」と称する。「第１部材の上の第２部材」及び「第１部材の下の第２部材」とした場合、第２部材は、第１部材に接していてもよいし、第１部材から離れて位置していてもよい。また、第３方向Ｚを示す矢印の先端側から第１方向Ｘ及び第２方向Ｙによって規定されるＸ−Ｙ平面をみることを平面視という。
【００１０】
表示装置ＤＳＰは、照明装置ＩＬ、表示パネルＰＮＬ、第１ドライバとしての駆動ＩＣ  ＤＤ、配線基板Ｆ１などを備えている。表示パネルＰＮＬは、表示領域ＤＡと、表示領域ＤＡ以外の非表示領域ＮＤＡと、を備えている。照明装置ＩＬは、板状の本体Ｍを有している。本体Ｍは、少なくとも表示パネルＰＮＬの表示領域ＤＡに光を放出するように構成されている。本体Ｍは、上面ＭＵと、第１側面ＭＳ１と、上面ＭＵ及び第１側面ＭＳ１の間にて直線状に延在する第１角部Ｃ１ａと、を含んでいる。
【００１１】
本実施形態において、本体Ｍは、上面ＭＵの反対側の下面ＭＢと、第１側面ＭＳ１から連続して設けられた第２側面ＭＳ２と、第１側面ＭＳ１の反対側の第３側面ＭＳ３と、第２側面ＭＳ２の反対側の第４側面ＭＳ４と、をさらに含んでいる。第１側面ＭＳ１、第２側面ＭＳ２、第３側面ＭＳ３、及び第４側面ＭＳ４は、長方形の形状を有している。上面ＭＵ、及び下面ＭＢは、四角形として、例えば長方形の形状を有している。上面ＭＵ、及び下面ＭＢの各々は、第１方向Ｘに延在する一対の長辺と、第２方向Ｙに延在する一対の短辺と、を有している。
【００１２】
さらに、本体Ｍは、上面ＭＵ及び第２側面ＭＳ２の間にて直線状に延在する第１角部Ｃ１ｂと、上面ＭＵ及び第３側面ＭＳ３の間にて直線状に延在する第１角部Ｃ１ｃと、上面ＭＵ及び第４側面ＭＳ４の間にて直線状に延在する第１角部Ｃ１ｄと、第１側面ＭＳ１及び下面ＭＢの間にて直線状に延在する第２角部Ｃ２ａと、第２側面ＭＳ２及び下面ＭＢの間にて直線状に延在する第２角部Ｃ２ｂと、第３側面ＭＳ３及び下面ＭＢの間にて直線状に延在する第２角部Ｃ２ｃと、第４側面ＭＳ４及び下面ＭＢの間にて直線状に延在する第２角部Ｃ２ｄと、を含んでいる。第１角部Ｃ１ａ，Ｃ１ｃ及び第２角部Ｃ２ａ，Ｃ２ｃは第１方向Ｘに延在し、第１角部Ｃ１ｂ，Ｃ１ｄ及び第２角部Ｃ２ｂ，Ｃ２ｄは第２方向Ｙに延在している。
【００１３】
本体Ｍは、導光体ＬＧと、導光体ＬＧに向けて光を出射する光源ユニットＬＵと、を備えている。この例では、光源ユニットＬＵが第４側面ＭＳ４を有している。導光体ＬＧは、少なくとも表示領域ＤＡに位置した導光板を備えている。例えば、導光体ＬＧは、導光板と、第１側面ＭＳ１、第２側面ＭＳ２、及び第３側面ＭＳ３を有するフレーム部と、下面ＭＢを有する光反射板と、を有している。この場合、上記フレーム部及び上記光反射板は、光源ユニットＬＵとともに上記導光板を囲んでいる。フレーム部は、上記光反射板と同様、上記導光板側の面が光反射性を有していてもよい。
【００１４】
但し、本体Ｍの構成は、上記の構成に限定されるものではなく、種々変形可能である。例えば、本体Ｍは、上記フレーム部及び上記光反射板無しに形成されてもよい。また、上記導光板が、第１側面ＭＳ１、第２側面ＭＳ２、第３側面ＭＳ３、及び下面ＭＢなどを有していてもよい。
【００１５】
照明装置ＩＬは、本体Ｍだけではなく、本体Ｍに固定され本体Ｍの側面から突出する少なくとも１つの突起Ｐをさらに有している。照明装置ＩＬは、第１側面ＭＳ１から突出する少なくとも１つの第１突起Ｐ１と、第２側面ＭＳ２から突出する少なくとも１つの第２突起Ｐ２と、を有している。本実施形態において、照明装置ＩＬは、第１側面ＭＳ１から突出する複数の第１突起として２つの第１突起Ｐ１ａ，Ｐ１ｂと、第２側面ＭＳ２から突出する複数の第２突起として２つの第２突起Ｐ２ａ，Ｐ２ｂと、を有している。第１突起Ｐ１ｂは、第１角部Ｃ１ａが延在する方向に第１突起Ｐ１ａに間隔を空けて位置している。第２突起Ｐ２ｂは、第１角部Ｃ１ｂが延在する方向に第２突起Ｐ２ａに間隔を空けて位置している。
【００１６】
表示パネルＰＮＬの表示領域ＤＡは、照明装置ＩＬの上面ＭＵと対向している。表示パネルＰＮＬの非表示領域ＮＤＡは、照明装置ＩＬに沿って折り曲げられ、上面ＭＵ、第１側面ＭＳ１、第２側面ＭＳ２、第３側面ＭＳ３、第４側面ＭＳ４、及び下面ＭＢと対向している。駆動ＩＣ  ＤＤ、及び配線基板Ｆ１は、下面ＭＢと対向している。下面ＭＢと対向する側において、駆動ＩＣ  ＤＤは表示パネルＰＮＬの非表示領域ＮＤＡに搭載され、配線基板Ｆ１は表示パネルＰＮＬの非表示領域ＮＤＡに接続されている。
【００１７】
表示パネルＰＮＬの非表示領域ＮＤＡは、互いに独立して延出した４つの延出部ＮＤＡ１，ＮＤＡ２，ＮＤＡ３，ＮＤＡ４を有している。各々の延出部ＮＤＡ１，ＮＤＡ２，ＮＤＡ３，ＮＤＡ４は、本体Ｍのうち対応する１つの側面ＭＳと、下面ＭＢと、対向している。但し、延出部ＮＤＡ２，ＮＤＡ３，ＮＤＡ４の各々の延出量（長さ）は、図２に示す例より短くともよい。この場合、延出部ＮＤＡ２，ＮＤＡ３，ＮＤＡ４の各々は、本体Ｍのうち対応する１つの側面ＭＳと対向していればよく、下面ＭＢと対向していなくともよい。
【００１８】
照明装置ＩＬの突起Ｐと、表示パネルＰＮＬの後述する凹部ＣＯとは、嵌合部ＦＩを構成している。本実施形態において、表示装置ＤＳＰは、２つの第１嵌合部ＦＩ１と、２つの第２嵌合部ＦＩ２と、を有している。第１嵌合部ＦＩ１及び第２嵌合部ＦＩ２により、照明装置ＩＬに対する表示パネルＰＮＬの相対的な位置を決定することができる。
【００１９】
図４は、表示装置ＤＳＰの表示パネルＰＮＬ、駆動ＩＣ  ＤＤ、及び配線基板Ｆ１を展開して示す平面図である。  
図４に示すように、表示パネルＰＮＬは、画像を表示する表示セルＣＬを有している。表示セルＣＬは、第１基板ＳＵＢ１と、第２基板ＳＵＢ２と、を有している。駆動ＩＣ  ＤＤは第１基板ＳＵＢ１に搭載され、配線基板Ｆ１は第１基板ＳＵＢ１に連結されている。第２基板ＳＵＢ２は、駆動ＩＣ  ＤＤ及び配線基板Ｆ１のための領域を除き、第１基板ＳＵＢ１に重ねられている。本実施形態において、表示セルＣＬは、平面視にて八角形の形状を有している。
【００２０】
表示セルＣＬは、上記照明装置ＩＬの上面ＭＵと対向する中央領域ＡＣと、中央領域ＡＣからそれぞれ延出する第１周辺領域ＡＰ１、第２周辺領域ＡＰ２、第３周辺領域ＡＰ３、及び第４周辺領域ＡＰ４と、を含んでいる。なお、駆動ＩＣ  ＤＤは第１周辺領域ＡＰ１に位置し、配線基板Ｆ１は第１周辺領域ＡＰ１に物理的に固定されている。
【００２１】
表示パネルＰＮＬは、第１溝部Ｖ１ａと、第２溝部Ｖ２ａと、を有している。図中、第１溝部Ｖ１ａ及び第２溝部Ｖ２ａには斜線を付している。第１溝部Ｖ１ａは、表示領域ＤＡと第２溝部Ｖ２ａとの間に位置している。第１溝部Ｖ１ａ及び第２溝部Ｖ２ａは、それぞれ延出部ＮＤＡ１，ＮＤＡ２，ＮＤＡ３，ＮＤＡ４に設けられている。第１溝部Ｖ１ａ及び第２溝部Ｖ２ａは、それぞれ連続的に設けられてはおらず、隣合う延出部の間にて途切れている。
【００２２】
延出部ＮＤＡ１において、第１溝部Ｖ１ａは上記第１角部Ｃ１ａに沿って（第１方向Ｘに）延在し、第２溝部Ｖ２ａは上記第２角部Ｃ２ａに沿って（第１方向Ｘに）延在している。延出部ＮＤＡ２において、第１溝部Ｖ１ａは上記第１角部Ｃ１ｂに沿って（第２方向Ｙに）延在し、第２溝部Ｖ２ａは上記第２角部Ｃ２ｂに沿って（第２方向Ｙに）延在している。延出部ＮＤＡ３において、第１溝部Ｖ１ａは上記第１角部Ｃ１ｃに沿って（第１方向Ｘに）延在し、第２溝部Ｖ２ａは上記第２角部Ｃ２ｃに沿って（第１方向Ｘに）延在している。延出部ＮＤＡ４において、第１溝部Ｖ１ａは上記第１角部Ｃ１ｄに沿って（第２方向Ｙに）延在し、第２溝部Ｖ２ａは上記第２角部Ｃ２ｄに沿って（第２方向Ｙに）延在している。
【００２３】
表示パネルＰＮＬは、照明装置ＩＬの突起Ｐに対応した少なくとも１つの凹部ＣＯを有している。本実施形態において、表示パネルＰＮＬは、第１突起Ｐ１ａに対応した第１凹部ＣＯ１ａと、第１突起Ｐ１ｂに対応した第１凹部ＣＯ１ｂと、第２突起Ｐ２ａに対応した第２凹部ＣＯ２ａと、第２突起Ｐ２ｂに対応した第２凹部ＣＯ２ｂと、を有している。例えば、第１凹部ＣＯ１ａ，ＣＯ１ｂは、延出部ＮＤＡ１のうち、上記第１角部Ｃ１ａが延在する方向における駆動ＩＣ  ＤＤの両側に位置している。本実施形態において、第１凹部ＣＯ１ａは駆動ＩＣ  ＤＤより右側に位置し、第１凹部ＣＯ１ｂは駆動ＩＣ  ＤＤより左側に位置している。
【００２４】
図５は、表示セルＣＬ、及び駆動ＩＣ  ＤＤを示す回路図であり、一画素ＰＸの回路構成を併せて示す図である。なお、ここでは、回路図の一例を示すものであり、図５に示す回路図に限定されるものではない。  
図５に示すように、表示セルＣＬは、表示領域ＤＡにおいて、複数の画素ＰＸと、複数本の走査線Ｇ（Ｇ１〜Ｇｎ）と、複数本の信号線Ｓ（Ｓ１〜Ｓｍ）と、共通電極ＣＥと、を備えている。複数の画素ＰＸは、マトリクス状に配置されている。表示領域ＤＡにおいて、走査線Ｇの各々は第１方向Ｘに延出し、信号線Ｓの各々は第２方向Ｙに延出している。非表示領域ＮＤＡにおいて、表示セルＣＬは、第２ドライバとしての走査線駆動回路ＧＤと、第３ドライバとしての信号線駆動回路ＳＤと、を有している。走査線Ｇの各々は、非表示領域ＮＤＡに延出し、走査線駆動回路ＧＤに接続されている。信号線Ｓの各々は、非表示領域ＮＤＡに延出し、信号線駆動回路ＳＤに接続されている。共通電極ＣＥは、複数の画素ＰＸで共用されている。
【００２５】
走査線駆動回路ＧＤは、配線ＷＬ１を介して駆動ＩＣ  ＤＤに電気的に接続されている。信号線駆動回路ＳＤは、配線ＷＬ２を介して駆動ＩＣ  ＤＤに電気的に接続されている。駆動ＩＣ  ＤＤは、配線ＷＬ３を介して表示セルＣＬのアウタリードボンディング（Outer Lead Bonding）のパッド群（ＯＬＢパッド群）ＰＧに電気的に接続されている。なお、配線基板Ｆ１は、ＯＬＢパッド群ＰＧに電気的に接続される。共通電極ＣＥは、配線ＷＬ４を介して駆動ＩＣ  ＤＤ内の共通電極駆動回路に接続されている。
【００２６】
第１凹部ＣＯ１ａ，ＣＯ１ｂは、表示パネルＰＮＬにて第１周辺領域ＡＰ１が存在する領域のうち、上記第１角部Ｃ１ａが延在する方向（第１方向Ｘ）における駆動ＩＣ  ＤＤの両側に位置している。本実施形態において、第１凹部ＣＯ１ａ，ＣＯ１ｂは、表示パネルＰＮＬにて第１周辺領域ＡＰ１が存在する領域のうち、第１方向Ｘにおける信号線駆動回路ＳＤの両側に位置している。  
走査線駆動回路ＧＤは、第２周辺領域ＡＰ２に位置している。第２凹部ＣＯ２ａ，ＣＯ２ｂは、表示パネルＰＮＬにて第２周辺領域ＡＰ２が存在する領域のうち、第１角部Ｃ１ｂが延在する方向（第２方向Ｙ）における走査線駆動回路ＧＤの両側に位置している。  
これにより、回路が存在しておらず、且つ、配線が密集していない領域に凹部ＣＯを設けることができる。
【００２７】
なお、本実施形態と異なり、上記共通電極駆動回路は、駆動ＩＣ  ＤＤから独立して非表示領域ＮＤＡに位置し、配線を介して駆動ＩＣ  ＤＤに電気的に接続されていてもよい。又は、信号線駆動回路ＳＤは、駆動ＩＣ  ＤＤから独立することなく、駆動ＩＣ  ＤＤ内に組み込まれていてもよい。
【００２８】
各画素ＰＸは、スイッチング素子ＳＷ、画素電極ＰＥ、共通電極ＣＥ、液晶層ＬＣなどを備えている。スイッチング素子ＳＷは、例えば薄膜トランジスタ（ＴＦＴ）によって構成され、走査線Ｇ及び信号線Ｓと電気的に接続されている。画素電極ＰＥは、スイッチング素子ＳＷと電気的に接続されている。各画素ＰＸの画素電極ＰＥは、それぞれ共通電極ＣＥと対向している。液晶層ＬＣは、画素電極ＰＥと共通電極ＣＥとの間に生じる電界によって駆動される。画素電極ＰＥには、保持容量ＣＳが結合されている。保持容量ＣＳは、例えば、共通電極ＣＥと同電位の電極と、画素電極ＰＥと同電位の電極と、の間に形成されている。上記のことから、本実施形態の表示セルＣＬは液晶表示セルであり、表示パネルＰＮＬは液晶表示パネルであり、表示装置ＤＳＰは液晶表示装置である。
【００２９】
ここでは画素ＰＸの詳細な構成についての説明を省略するが、画素ＰＸは、上記第１基板ＳＵＢ１の主面の法線に沿った縦電界を利用する表示モード、第１基板ＳＵＢ１の主面に対して斜め方向に傾斜した斜め電界を利用する表示モード、第１基板ＳＵＢ１の主面に沿った横電界を利用する表示モード、さらには、上記の縦電界、横電界、及び斜め電界を適宜組み合わせて利用する表示モードのいずれも適用可能である。ここで言う第１基板ＳＵＢ１の主面とは、第１方向Ｘ及び第２方向Ｙで規定されるＸ−Ｙ平面と平行な面である。
【００３０】
図６は、図４の線ＶＩ−ＶＩに沿った表示パネルＰＮＬを示す断面図である。  
図６に示すように、表示セルＣＬは、第１基板ＳＵＢ１と、第１基板ＳＵＢ１に所定の隙間を置いて対向配置された第２基板ＳＵＢ２と、第１基板ＳＵＢ１と第２基板ＳＵＢ２との間に設けられ非表示領域ＮＤＡに位置し表示領域ＤＡを囲み第１基板ＳＵＢ１と第２基板ＳＵＢ２とを接合したシール材ＳＬと、第１基板ＳＵＢ１、第２基板ＳＵＢ２、及びシール材ＳＬで囲まれた空間に形成された液晶層ＬＣと、を備えている。第２基板ＳＵＢ２は、非表示領域ＮＤＡにて遮光層ＬＳを有している。
【００３１】
表示パネルＰＮＬは、表示セルＣＬに加えて、第１光学フィルムＯＦ１と、第２光学フィルムＯＦ２と、表示セルＣＬと第１光学フィルムＯＦ１との間に介在する接着層ＡＤ１と、表示セルＣＬと第２光学フィルムＯＦ２との間に介在する接着層ＡＤ２と、を備えている。
【００３２】
第１光学フィルムＯＦ１は、第１偏光板ＰＬ１を含み、接着層ＡＤ１により第１基板ＳＵＢ１に接着されている。第２光学フィルムＯＦ２は、第２偏光板ＰＬ２を含み、接着層ＡＤ２により第２基板ＳＵＢ２に接着されている。第１光学フィルムＯＦ１及び第２光学フィルムＯＦ２は、表示領域ＤＡのみならず、非表示領域ＮＤＡにも配置されている。本実施形態と異なり、第１光学フィルムＯＦ１及び第２光学フィルムＯＦ２は、偏光板ＰＬだけではなく、位相差板などの他の光学機能層を含んでいてもよい。
【００３３】
第１光学フィルムＯＦ１は、表示セルＣＬの表示領域ＤＡの全体と対向する中央部Ｈと、表示セルＣＬの非表示領域ＮＤＡと対向し中央部Ｈに間隔を空けて位置した第１乃至第４周辺部Ｉと、を含んでいる。図６では、第１乃至第４周辺部Ｉのうち、第２周辺部Ｉ２及び第４周辺部Ｉ４を示している。
【００３４】
第２周辺部Ｉ２は、中央部Ｈに間隔を空けて位置する第１部分Ｉ２ａと、第１部分Ｉ２ａに間隔を空けて位置する第２部分Ｉ２ｂと、を有している。第１部分Ｉ２ａは、中央部Ｈと第２部分Ｉ２ｂとの間に位置している。第４周辺部Ｉ４は、中央部Ｈに間隔を空けて位置する第１部分Ｉ４ａと、第１部分Ｉ４ａに間隔を空けて位置する第２部分Ｉ４ｂと、を有している。第１部分Ｉ４ａは、中央部Ｈと第２部分Ｉ４ｂとの間に位置している。
【００３５】
第２周辺部Ｉ２側において、第１溝部Ｖ１ａは中央部Ｈと第１部分Ｉ２ａ（第２周辺部Ｉ２）との間に形成され、第２溝部Ｖ２ａは、第１部分Ｉ２ａと第２部分Ｉ２ｂとの間に形成されている。第４周辺部Ｉ４側において、第１溝部Ｖ１ａは中央部Ｈと第１部分Ｉ４ａ（第４周辺部Ｉ４）との間に形成され、第２溝部Ｖ２ａは、第１部分Ｉ４ａと第２部分Ｉ４ｂとの間に形成されている。  
一方、本実施形態の第２光学フィルムＯＦ２は、表示セルＣＬの表示領域ＤＡ及び非表示領域ＮＤＡと対向し、連続的に形成されている。第２光学フィルムＯＦ２に溝部は形成されていない。
【００３６】
図７は、表示パネルＰＮＬの一部を示す断面図である。図示した画素ＰＸの構成例は、横電界を利用する表示モードが適用された例に相当する。  
図７に示すように、第１基板ＳＵＢ１は、絶縁基板１０、絶縁層１１乃至１６、下側遮光層ＵＳ、半導体層ＳＣ、スイッチング素子ＳＷ、共通電極ＣＥ、画素電極ＰＥ、及び配向膜ＡＬ１を備えている。絶縁基板１０は、ポリイミドなどの樹脂材料によって形成され、可撓性及び光透過性を有する基板である。
【００３７】
絶縁層１１は、絶縁基板１０の上に配置されている。下側遮光層ＵＳは、絶縁層１１の上に位置し、絶縁層１２によって覆われている。なお、第１基板ＳＵＢ１は、絶縁層１１無しに形成されてもよく、この場合、下側遮光層ＵＳは、絶縁基板１０の上に位置している。半導体層ＳＣは、絶縁層１２の上に位置し、絶縁層１３によって覆われている。半導体層ＳＣは、例えば、多結晶シリコンによって形成されているが、非晶質シリコンや酸化物半導体によって形成されていてもよい。
【００３８】
スイッチング素子ＳＷにおいて、ゲート電極ＧＥ１及びＧＥ２は、絶縁層１３の上に位置し、絶縁層１４によって覆われている。ゲート電極ＧＥ１及びＧＥ２は、図５に示したいずれかの走査線Ｇと電気的に接続されている。ソース電極ＳＥ及びドレイン電極ＤＥは、絶縁層１４の上に位置し、絶縁層１５によって覆われている。ソース電極ＳＥは、図５に示したいずれかの信号線Ｓと電気的に接続されている。ソース電極ＳＥは、絶縁層１３及び１４を貫通するコンタクトホールＣＨ１を介して半導体層ＳＣにコンタクトしている。ドレイン電極ＤＥは、絶縁層１３及び１４を貫通するコンタクトホールＣＨ２を介して半導体層ＳＣにコンタクトしている。
【００３９】
共通電極ＣＥは、絶縁層１５の上に位置し、絶縁層１６によって覆われている。画素電極ＰＥは、絶縁層１６の上に位置し、配向膜ＡＬ１によって覆われている。画素電極ＰＥの一部は、絶縁層１６を介して共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。画素電極ＰＥは、共通電極ＣＥの開口と重畳する位置において、絶縁層１５及び１６を貫通するコンタクトホールＣＨ３を介してドレイン電極ＤＥにコンタクトしている。なお、絶縁層１１乃至１４、及び、絶縁層１６は、例えばシリコン酸化物、シリコン窒化物、シリコン酸窒化物などの無機絶縁層であり、単層構造であってもよいし、多層構造であってもよい。絶縁層１５は、例えばアクリル樹脂などの有機絶縁層である。
【００４０】
第２基板ＳＵＢ２は、絶縁基板２０、絶縁層２１、遮光層ＢＭ、カラーフィルタ層ＣＦ、オーバーコート層ＯＣ、及び配向膜ＡＬ２を備えている。絶縁基板２０は、ポリイミドなどの樹脂材料によって形成され、可撓性及び光透過性を有する基板である。絶縁層２１は、例えばシリコン酸化物、シリコン窒化物、シリコン酸窒化物などの無機絶縁層であり、単層構造であってもよいし、多層構造であってもよい。なお、第２基板ＳＵＢ２は、絶縁層２１無しに形成されてもよく、この場合、遮光層ＢＭ及びカラーフィルタ層ＣＦは、絶縁基板２０の第１基板ＳＵＢ１と対向する側に位置している。
【００４１】
遮光層ＢＭ及びカラーフィルタ層ＣＦは、絶縁層２１の第１基板ＳＵＢ１と対向する側に位置している。遮光層ＢＭは、図６などに示した遮光層ＬＳと同一材料を用いて一括して形成可能である。遮光層ＢＭは、信号線Ｓや走査線Ｇやスイッチング素子ＳＷなどの配線部とそれぞれ対向する位置に配置されている。カラーフィルタ層ＣＦは、画素電極ＰＥと対向する位置に配置され、その一部が遮光層ＢＭに重なっている。オーバーコート層ＯＣは、カラーフィルタ層ＣＦを覆っている。配向膜ＡＬ２は、オーバーコート層ＯＣを覆っている。
【００４２】
液晶層ＬＣは、第１基板ＳＵＢ１と第２基板ＳＵＢ２との間に位置し、配向膜ＡＬ１と配向膜ＡＬ２との間に保持されている。液晶層ＬＣは、液晶分子を含んでいる。このような液晶層ＬＣは、ポジ型（誘電率異方性が正）の液晶材料、あるいは、ネガ型（誘電率異方性が負）の液晶材料によって構成されている。
【００４３】
図８（ａ）は、図１の線ＶＩＩＩ−ＶＩＩＩに沿った表示装置ＤＳＰを示す断面図である。図８（ｂ）は、図８（ａ）の表示装置ＤＳＰを示す他の断面図であり、表示パネルＰＮＬを展開して示す図である。  
図８に示すように、第１光学フィルムＯＦ１は、表示セルＣＬに固定され、表示セルＣＬと照明装置ＩＬとの間に位置している。第１光学フィルムＯＦ１の中央部Ｈは、照明装置ＩＬの上面ＭＵに接触している。第２光学フィルムＯＦ２は、表示セルＣＬに固定され、表示セルＣＬに対して第１光学フィルムＯＦ１の反対側に位置している。
【００４４】
表示セルＣＬの第１周辺領域ＡＰ１は、第１領域ＡＰ１ａ、第２領域ＡＰ１ｂ、第３領域ＡＰ１ｃ、及び第４領域ＡＰ１ｄを含んでいる。第１領域ＡＰ１ａは、第１側面ＭＳ１と対向している。第２領域ＡＰ１ｂは、第１領域ＡＰ１ａと中央領域ＡＣとの間に位置し、折れ曲がっている。第３領域ＡＰ１ｃは、下面ＭＢと対向している。第４領域ＡＰ１ｄは、第１領域ＡＰ１ａと第３領域ＡＰ１ｃとの間に位置し、折れ曲がっている。
【００４５】
第１光学フィルムＯＦ１の第１周辺部Ｉ１は、中央部Ｈに間隔を空けて位置し第１側面ＭＳ１に接触する第１部分Ｉ１ａと、第１部分Ｉ１ａに間隔を空けて位置し下面ＭＢに接触する第２部分Ｉ１ｂと、を有している。第１部分Ｉ１ａは、中央部Ｈと第２部分Ｉ１ｂとの間に位置している。
【００４６】
第１周辺部Ｉ１側において、第１溝部Ｖ１ａは、中央部Ｈと第１部分Ｉ１ａ（第１周辺部Ｉ１）との間に形成され、第１角部Ｃ１ａと対向し、第１角部Ｃ１ａから第２領域ＡＰ１ｂに向かって凹んでいる。同じく第１周辺部Ｉ１側において、第２溝部Ｖ２ａは、第１部分Ｉ１ａと第２部分Ｉ１ｂとの間に形成され、第２角部Ｃ２ａと対向し、第２角部Ｃ２ａから第４領域ＡＰ１ｄに向かって凹んでいる。
【００４７】
第１凹部ＣＯ１ａは、第１周辺領域ＡＰ１（第１領域ＡＰ１ａ）が存在する領域に位置し、第１突起Ｐ１ａに向かって開口し、第１突起Ｐ１ａが嵌まり、第１突起Ｐ１ａとともに照明装置ＩＬに対する表示パネルＰＮＬの相対的な位置を決定するように構成されている。
【００４８】
第１凹部ＣＯ１ａは、表示セルＣＬの第１周辺領域ＡＰ１（第１領域ＡＰ１ａ）を貫通する貫通孔と、第２光学フィルムＯＦ２に設けられ上記貫通孔につなげられた窪みと、を有している。第１光学フィルムＯＦ１は、第１凹部ＣＯ１ａを露出させている。第１凹部ＣＯ１ａは、表示パネルＰＮＬを貫通していない。但し、本実施形態と異なり、第１凹部ＣＯ１ａは、表示パネルＰＮＬを貫通していてもよい。又は、第１凹部ＣＯ１ａは、第１光学フィルムＯＦ１（第１部分Ｉ１ａ）を利用して形成されていてもよい。
【００４９】
なお、図４及び図５に示した第１凹部ＣＯ１ｂは、第１凹部ＣＯ１ａと同様に構成されている。第１凹部ＣＯ１ｂは、第１周辺領域ＡＰ１（第１領域ＡＰ１ａ）が存在する領域に位置し、第１突起Ｐ１ｂに向かって開口し、第１突起Ｐ１ｂが嵌まり、第１突起Ｐ１ｂとともに照明装置ＩＬに対する表示パネルＰＮＬの相対的な位置を決定するように構成されている。
【００５０】
表示セルＣＬの第３周辺領域ＡＰ３は、第１領域ＡＰ３ａ、第２領域ＡＰ３ｂ、第３領域ＡＰ３ｃ、及び第４領域ＡＰ３ｄを含んでいる。第１領域ＡＰ３ａは、第３側面ＭＳ３と対向している。第２領域ＡＰ３ｂは、第１領域ＡＰ３ａと中央領域ＡＣとの間に位置し、折れ曲がっている。第３領域ＡＰ３ｃは、下面ＭＢと対向している。第４領域ＡＰ３ｄは、第１領域ＡＰ３ａと第３領域ＡＰ３ｃとの間に位置し、折れ曲がっている。
【００５１】
第１光学フィルムＯＦ１の第３周辺部Ｉ３は、中央部Ｈに間隔を空けて位置し第３側面ＭＳ３に接触する第１部分Ｉ３ａと、第１部分Ｉ３ａに間隔を空けて位置し下面ＭＢに接触する第２部分Ｉ３ｂと、を有している。第１部分Ｉ３ａは、中央部Ｈと第２部分Ｉ３ｂとの間に位置している。
【００５２】
第３周辺部Ｉ３側において、第１溝部Ｖ１ａは、中央部Ｈと第１部分Ｉ３ａ（第３周辺部Ｉ３）との間に形成され、第１角部Ｃ１ｃと対向し、第１角部Ｃ１ｃから第２領域ＡＰ３ｂに向かって凹んでいる。同じく第３周辺部Ｉ３側において、第２溝部Ｖ２ａは、第１部分Ｉ３ａと第２部分Ｉ３ｂとの間に形成され、第２角部Ｃ２ｃと対向し、第２角部Ｃ２ｃから第４領域ＡＰ３ｄに向かって凹んでいる。
【００５３】
ここで、第１側面ＭＳ１に接触する第１部分Ｉ１ａ（第１周辺部Ｉ１）の当接面ＳＳ１において、第１周辺領域ＡＰ１が延出する方向の長さをＬ１とする。第３側面ＭＳ３に接触する第１部分Ｉ３ａ（第３周辺部Ｉ３）の当接面ＳＳ３において、第３周辺領域ＡＰ３が延出する方向の長さをＬ３とする。長さＬ１は、長さＬ３より長い。
【００５４】
第１溝部Ｖ１ａにおいて、中央部Ｈと第１部分Ｉ１ａ（第１周辺部Ｉ１）との間の幅をＷ１ａとし、中央部Ｈと第１部分Ｉ３ａ（第３周辺部Ｉ３）との間の幅をＷ３ａとする。幅Ｗ１ａは、幅Ｗ３ａより狭い。また、第２溝部Ｖ２ａにおいて、第１部分Ｉ１ａと第２部分Ｉ１ｂとの間の幅をＷ１ｂとし、第１部分Ｉ３ａと第２部分Ｉ３ｂとの間の幅をＷ３ｂとする。幅Ｗ１ｂは、幅Ｗ３ｂより狭い。
【００５５】
表示パネルＰＮＬにおいて、表示セルＣＬの厚みＴＣは、第１光学フィルムＯＦ１の厚みＴＯ１未満である。また、厚みＴＣは、第２光学フィルムＯＦ２の厚みＴＯ２未満である。本実施形態において、各々の厚みＴＯ１，ＴＯ２は、厚みＴＣの２倍以上である。例示的に示すと、絶縁基板１０，２０の各々の厚みは実質的に１０μｍであり、各々の厚みＴＯ１，ＴＯ２は、実質的に１００μｍである。
【００５６】
図９（ａ）は、図１の線ＩＸ−ＩＸに沿った表示装置ＤＳＰを示す断面図である。図９（ｂ）は、図９（ａ）の表示装置ＤＳＰを示す他の断面図であり、表示パネルＰＮＬを展開して示す図である。  
図９に示すように、表示セルＣＬの第２周辺領域ＡＰ２は、第１領域ＡＰ２ａ、第２領域ＡＰ２ｂ、第３領域ＡＰ２ｃ、及び第４領域ＡＰ２ｄを含んでいる。第１領域ＡＰ２ａは、第２側面ＭＳ２と対向している。第２領域ＡＰ２ｂは、第１領域ＡＰ２ａと中央領域ＡＣとの間に位置し、折れ曲がっている。第３領域ＡＰ２ｃは、下面ＭＢと対向している。第４領域ＡＰ２ｄは、第１領域ＡＰ２ａと第３領域ＡＰ２ｃとの間に位置し、折れ曲がっている。
【００５７】
第１光学フィルムＯＦ１の第２周辺部Ｉ２は、中央部Ｈに間隔を空けて位置し第２側面ＭＳ２に接触する第１部分Ｉ２ａと、第１部分Ｉ２ａに間隔を空けて位置し下面ＭＢに接触する第２部分Ｉ２ｂと、を有している。第１部分Ｉ２ａは、中央部Ｈと第２部分Ｉ２ｂとの間に位置している。
【００５８】
第２周辺部Ｉ２側において、第１溝部Ｖ１ａは、中央部Ｈと第１部分Ｉ２ａ（第２周辺部Ｉ２）との間に形成され、第１角部Ｃ１ｂと対向し、第１角部Ｃ１ｂから第２領域ＡＰ２ｂに向かって凹んでいる。同じく第２周辺部Ｉ２側において、第２溝部Ｖ２ａは、第１部分Ｉ２ａと第２部分Ｉ２ｂとの間に形成され、第２角部Ｃ２ｂと対向し、第２角部Ｃ２ｂから第４領域ＡＰ２ｄに向かって凹んでいる。
【００５９】
第２凹部ＣＯ２ａは、第２周辺領域ＡＰ２（第１領域ＡＰ２ａ）が存在する領域に位置し、第２突起Ｐ２ａに向かって開口し、第２突起Ｐ２ａが嵌まり、第２突起Ｐ２ａとともに照明装置ＩＬに対する表示パネルＰＮＬの相対的な位置を決定するように構成されている。
【００６０】
第２凹部ＣＯ２ａは、表示セルＣＬの第２周辺領域ＡＰ２（第１領域ＡＰ２ａ）を貫通する貫通孔と、第２光学フィルムＯＦ２に設けられ上記貫通孔につなげられた窪みと、を有している。第１光学フィルムＯＦ１は、第２凹部ＣＯ２ａを露出させている。第２凹部ＣＯ２ａは、表示パネルＰＮＬを貫通していない。但し、本実施形態と異なり、第２凹部ＣＯ２ａは、表示パネルＰＮＬを貫通していてもよい。又は、第２凹部ＣＯ２ａは、第１光学フィルムＯＦ１（第１部分Ｉ２ａ）を利用して形成されていてもよい。
【００６１】
なお、図４及び図５に示した第２凹部ＣＯ２ｂは、第２凹部ＣＯ２ａと同様に構成されている。第２凹部ＣＯ２ｂは、第２周辺領域ＡＰ２（第１領域ＡＰ２ａ）が存在する領域に位置し、第２突起Ｐ２ｂに向かって開口し、第２突起Ｐ２ｂが嵌まり、第２突起Ｐ２ｂとともに照明装置ＩＬに対する表示パネルＰＮＬの相対的な位置を決定するように構成されている。
【００６２】
表示セルＣＬの第４周辺領域ＡＰ４は、第１領域ＡＰ４ａ、第２領域ＡＰ４ｂ、第３領域ＡＰ４ｃ、及び第４領域ＡＰ４ｄを含んでいる。第１領域ＡＰ４ａは、第４側面ＭＳ４と対向している。第２領域ＡＰ４ｂは、第１領域ＡＰ４ａと中央領域ＡＣとの間に位置し、折れ曲がっている。第３領域ＡＰ４ｃは、下面ＭＢと対向している。第４領域ＡＰ４ｄは、第１領域ＡＰ４ａと第３領域ＡＰ４ｃとの間に位置し、折れ曲がっている。
【００６３】
第１光学フィルムＯＦ１の第４周辺部Ｉ４は、中央部Ｈに間隔を空けて位置し第４側面ＭＳ４に接触する第１部分Ｉ４ａと、第１部分Ｉ４ａに間隔を空けて位置し下面ＭＢに接触する第２部分Ｉ４ｂと、を有している。第１部分Ｉ４ａは、中央部Ｈと第２部分Ｉ４ｂとの間に位置している。
【００６４】
第４周辺部Ｉ４側において、第１溝部Ｖ１ａは、中央部Ｈと第１部分Ｉ４ａ（第４周辺部Ｉ４）との間に形成され、第１角部Ｃ１ｄと対向し、第１角部Ｃ１ｄから第２領域ＡＰ４ｂに向かって凹んでいる。同じく第４周辺部Ｉ４側において、第２溝部Ｖ２ａは、第１部分Ｉ４ａと第２部分Ｉ４ｂとの間に形成され、第２角部Ｃ２ｄと対向し、第２角部Ｃ２ｄから第４領域ＡＰ４ｄに向かって凹んでいる。
【００６５】
ここで、第２側面ＭＳ２に接触する第１部分Ｉ２ａ（第２周辺部Ｉ２）の当接面ＳＳ２において、第２周辺領域ＡＰ２が延出する方向の長さをＬ２とする。第４側面ＭＳ４に接触する第１部分Ｉ４ａ（第４周辺部Ｉ４）の当接面ＳＳ４において、第４周辺領域ＡＰ４が延出する方向の長さをＬ４とする。長さＬ２は、長さＬ４より長い。
【００６６】
第１溝部Ｖ１ａにおいて、中央部Ｈと第１部分Ｉ２ａ（第２周辺部Ｉ２）との間の幅をＷ２ａとし、中央部Ｈと第１部分Ｉ４ａ（第４周辺部Ｉ４）との間の幅をＷ４ａとする。幅Ｗ２ａは、幅Ｗ４ａより狭い。また、第２溝部Ｖ２ａにおいて、第１部分Ｉ２ａと第２部分Ｉ２ｂとの間の幅をＷ２ｂとし、第１部分Ｉ４ａと第２部分Ｉ４ｂとの間の幅をＷ４ｂとする。幅Ｗ２ｂは、幅Ｗ４ｂより狭い。
【００６７】
次に、表示装置ＤＳＰを組み立てる方法について説明する。図１０は、表示装置ＤＳＰを組み立てる方法を説明するための断面図であり、表示パネルＰＮＬを折り曲げる前の状態を示す図である。  
図１０に示すように、表示装置ＤＳＰの組み立てを開始すると、まず、照明装置ＩＬと、表示パネルＰＮＬと、を用意する。表示パネルＰＮＬには、駆動ＩＣ  ＤＤが搭載され、配線基板Ｆ１が連結されている。次いで、第１突起Ｐ１ａと第１凹部ＣＯ１ａとを嵌合する。その際、第１突起Ｐ１ｂと第１凹部ＣＯ１ｂとの嵌合も併せて行う（図３及び図４）。そして、第１部分Ｉ１ａを第１側面ＭＳ１に接触させる。
【００６８】
図１１は、図１０に続く、表示装置ＤＳＰを組み立てる方法を説明するための断面図であり、表示パネルＰＮＬを１回折り曲げた状態を示す図である。  
図１１に示すように、続いて、表示パネルＰＮＬを１回折り曲げ、中央部Ｈを上面ＭＵに接触させる。その後、第２突起Ｐ２ａと第２凹部ＣＯ２ａとを嵌合し、第２突起Ｐ２ｂと第２凹部ＣＯ２ｂとを嵌合する（図３及び図４）。そして、第１部分Ｉ２ａを第２側面ＭＳ２に接触させる。次いで、表示パネルＰＮＬを照明装置ＩＬに沿って折り曲げる（図２）。その後、接着手段としてテープや接着剤を使用し、表示パネルＰＮＬを照明装置ＩＬの下面ＭＢに接着する。配線基板Ｆ１を下面ＭＢに接着してもよい。  
これにより、表示装置ＤＳＰの組み立てが終了する。
【００６９】
上記のように構成された一実施形態に係る表示装置ＤＳＰよれば、表示パネルＰＮＬの延出部ＮＤＡ１，ＮＤＡ２，ＮＤＡ３，ＮＤＡ４を照明装置ＩＬに沿って折り曲げることができる。図２に示したように、表示装置ＤＳＰの裏面（下面ＭＢ）側に、延出部ＮＤＡ１，ＮＤＡ２，ＮＤＡ３，ＮＤＡ４を折りこむことができる。これにより、表示装置ＤＳＰの表面の額縁を縮小することができる。
【００７０】
表示パネルＰＮＬは、第１溝部Ｖ１ａ及び第２溝部Ｖ２ａを有している。表示パネルＰＮＬが第１溝部Ｖ１ａ及び第２溝部Ｖ２ａを有していない場合と比較し、表示パネルＰＮＬを折り曲げた際に表示セルＣＬに加わる応力を低減することができる。これにより、図５に示した第１周辺領域ＡＰ１や第２周辺領域ＡＰ２に位置する配線の断線など、不具合の発生を低減することができる。
【００７１】
第１光学フィルムＯＦ１は、照明装置ＩＬの側面ＭＳ（ＭＳ１，ＭＳ２，ＭＳ３，ＭＳ４）に接触する第１部分（Ｉ１ａ，Ｉ２ａ，Ｉ３ａ，Ｉ４ａ）を有している。第１光学フィルムＯＦ１が上記第１部分を有していない場合と比較して、延出部ＮＤＡ１，ＮＤＡ２，ＮＤＡ３，ＮＤＡ４の機械的な強度を高めることができ、表示パネルＰＮＬを照明装置ＩＬの側面ＭＳに接触させることができる。これにより、上記配線の断線の発生を、一層、低減することができ、延出部ＮＤＡ１，ＮＤＡ２，ＮＤＡ３，ＮＤＡ４における座屈の発生を低減することができる。
【００７２】
第１嵌合部ＦＩ１及び第２嵌合部ＦＩ２により、照明装置ＩＬに対する表示パネルＰＮＬの相対的な位置を決定している。第１嵌合部ＦＩ１及び第２嵌合部ＦＩ２を利用しない場合と比較して、照明装置ＩＬと表示パネルＰＮＬとの位置合わせを高精度で行うことができる。照明装置ＩＬの第１角部Ｃ１に表示パネルＰＮＬの第１溝部Ｖ１ａを確実に対向させることができ、照明装置ＩＬの第２角部Ｃ２に表示パネルＰＮＬの第２溝部Ｖ２ａを確実に対向させることができる。
【００７３】
そして上記のように、位置合わせ精度を高くすることができるため、第１溝部Ｖ１ａ及び第２溝部Ｖ２ａの幅Ｗ１，Ｗ２，Ｗ３，Ｗ４を最小限に抑えることができる。これにより、延出部ＮＤＡ１，ＮＤＡ２，ＮＤＡ３，ＮＤＡ４の機械的な強度の低下を抑制することができる。例えば、組立公差を考慮して、Ｌ１＞Ｌ３、及びＬ２＞Ｌ４としているが、
長さＬ３及び長さＬ４をできるだけ長くすることができる。
【００７４】
第１凹部ＣＯ１ａ，ＣＯ１ｂは、表示パネルＰＮＬの長辺である延出部ＮＤＡ１に設けられている。上記長辺側の２個の第１凹部ＣＯ１ａ，ＣＯ１ｂを位置合わせに利用することができるため、上記長辺側にて１個の第１凹部ＣＯ１を利用する場合と比較して、照明装置ＩＬと表示パネルＰＮＬとの位置合わせを、一層、高い精度で行うことができる。  
第２凹部ＣＯ２ａ，ＣＯ２ｂは、表示パネルＰＮＬの短辺である延出部ＮＤＡ２に設けられている。上記短辺側の２個の第２凹部ＣＯ２ａ，ＣＯ２ｂを位置合わせに利用することができるため、上記短辺側にて１個の第２凹部ＣＯ２を利用する場合と比較して、照明装置ＩＬと表示パネルＰＮＬとの位置合わせを、一層、高い精度で行うことができる。  
凹部ＣＯは、表示パネルＰＮＬの４辺（延出部ＮＤＡ１，ＮＤＡ２，ＮＤＡ３，ＮＤＡ４）中、長辺及び短辺である２辺に設けられている。そのため、一層、照明装置ＩＬと表示パネルＰＮＬとの位置合わせを高い精度で行うことができる。
【００７５】
凹部ＣＯは、配線が延在している延出部ＮＤＡ１（第１周辺領域ＡＰ１）及び延出部ＮＤＡ２（第２周辺領域ＡＰ２）に設けられている。組立公差を考慮した場合、凹部ＣＯの設けられている延出部ＮＤＡ１，ＮＤＡ２の方が幅Ｗ１，Ｗ２を狭くし易いため、延出部ＮＤＡ１，ＮＤＡ２の機械的な強度の低下を、一層、抑制することができる。これにより、上記配線の断線など、不具合の発生を、一層、低減することができる。  
上記のことから、高い精度で組み立てを行うことが可能な表示装置ＤＳＰを得ることができる。
【００７６】
（変形例１）
次に、上記実施形態の変形例１に係る表示装置ＤＳＰについて説明する。図１２は、上記実施形態の変形例１に係る表示装置ＤＳＰを示す断面図である。ここでは、表示パネルＰＮＬの延出部ＮＤＡ１，ＮＤＡ３の構成を代表して説明する。但し、本変形例１の技術は、上記延出部ＮＤＡ２，ＮＤＡ４にも適用可能である。
【００７７】
図１２に示すように、第２光学フィルムＯＦ２の構成は、上記実施形態の第２光学フィルムＯＦ２の構成と相違している。第２光学フィルムＯＦ２は、中央部Ｊと、第１周辺部Ｋ１と、第３周辺部Ｋ３と、を含んでいる。中央部Ｊは、第１光学フィルムＯＦ１の中央部Ｈと対向している。
【００７８】
第１周辺部Ｋ１は、中央部Ｊに間隔を空けて位置し、第１光学フィルムＯＦ１の第１周辺部Ｉ１と対向している。第１周辺部Ｋ１は、第１部分Ｋ１ａと、第２部分Ｋ１ｂと、を有している。第１部分Ｋ１ａは、中央部Ｊに間隔を空けて位置し、第１部分Ｉ１ａと対向している。第２部分Ｋ１ｂは、第１部分Ｋ１ａに間隔を空けて位置し、第２部分Ｉ１ｂと対向している。
【００７９】
表示パネルＰＮＬは、第１溝部Ｖ１ｂ及び第２溝部Ｖ２ｂをさらに有している。第１溝部Ｖ１ｂ及び第２溝部Ｖ２ｂは、それぞれ延出部ＮＤＡ１，ＮＤＡ３に設けられている。なお、図示しないが、第１溝部Ｖ１ｂ及び第２溝部Ｖ２ｂは、それぞれ延出部ＮＤＡ２，ＮＤＡ４にも設けられている。第１溝部Ｖ１ｂ及び第２溝部Ｖ２ｂは、それぞれ連続的に設けられてはおらず、隣合う延出部の間にて途切れている。
【００８０】
延出部ＮＤＡ１において、第１溝部Ｖ１ｂは、中央部Ｊと第１部分Ｋ１ａ（第１周辺部Ｋ１）との間に形成され、第１溝部Ｖ１ａに沿って延在し、第１溝部Ｖ１ａ側に凹んでいる。延出部ＮＤＡ１において、第２溝部Ｖ２ｂは、第１部分Ｋ１ａと第２部分Ｋ１ｂとの間に形成され、第２溝部Ｖ２ａに沿って延在し、第２溝部Ｖ２ａ側に凹んでいる。
【００８１】
本変形例１の第１凹部ＣＯ１ａは、表示パネルＰＮＬを貫通する貫通孔である。第１凹部ＣＯ１ａは、表示セルＣＬの第１周辺領域ＡＰ１（第１領域ＡＰ１ａ）を貫通する貫通孔を有している。第２光学フィルムＯＦ２は、第１凹部ＣＯ１ａを露出させている。
【００８２】
第３周辺部Ｋ３は、中央部Ｊに間隔を空けて位置し、第１光学フィルムＯＦ１の第３周辺部Ｉ３と対向している。第３周辺部Ｋ３は、第１部分Ｋ３ａと、第２部分Ｋ３ｂと、を有している。第１部分Ｋ３ａは、中央部Ｊに間隔を空けて位置し、第１部分Ｉ３ａと対向している。第２部分Ｋ３ｂは、第１部分Ｋ３ａに間隔を空けて位置し、第２部分Ｉ３ｂと対向している。
【００８３】
延出部ＮＤＡ３において、第１溝部Ｖ１ｂは、中央部Ｊと第１部分Ｋ３ａ（第３周辺部Ｋ３）との間に形成され、第１溝部Ｖ１ａに沿って延在し、第１溝部Ｖ１ａ側に凹んでいる。延出部ＮＤＡ３において、第２溝部Ｖ２ｂは、第１部分Ｋ３ａと第２部分Ｋ３ｂとの間に形成され、第２溝部Ｖ２ａに沿って延在し、第２溝部Ｖ２ａ側に凹んでいる。
【００８４】
上記のように構成された変形例１においても、上記実施形態と同様の効果を得ることができる。また、変形例１では、表示パネルＰＮＬの中立面の位置を調整することができる。例えば、上記実施形態と比較し、表示セルＣＬの第２領域ＡＰ１ｂ及び第４領域ＡＰ１ｄを延在する配線の位置を、表示パネルＰＮＬの中立面に近付けることができる。これにより、上記配線の断線など、不具合の発生を、一層、低減することができる。
【００８５】
（変形例２）
次に、上記実施形態の変形例２に係る表示装置ＤＳＰについて説明する。図１３は、上記実施形態の変形例２に係る表示装置ＤＳＰを示す断面図である。ここでは、表示パネルＰＮＬの延出部ＮＤＡ１，ＮＤＡ３の構成を代表して説明する。但し、本変形例２の技術は、上記延出部ＮＤＡ２，ＮＤＡ４にも適用可能である。
【００８６】
図１３に示すように、第２光学フィルムＯＦ２は、第１周辺部Ｋ１及び第３周辺部Ｋ３無しに構成されていてもよい。変形例２の第２光学フィルムＯＦ２は、中央部Ｊのみ有している。  
上記のように構成された変形例２においても、上記変形例１と同様の効果を得ることができる。
【００８７】
（比較例１）
次に、比較例１に係る表示装置ＤＳＰについて説明する。図１４は、比較例１に係る表示装置ＤＳＰを示す断面図である。  
図１４に示すように、表示装置ＤＳＰは、上述した第１嵌合部ＦＩ１及び第２嵌合部ＦＩ２を有していない。そのため、比較例１の表示装置ＤＳＰは、照明装置ＩＬに対する表示パネルＰＮＬの相対的な位置を決定する手段を備えていない。
【００８８】
例えば、中央部Ｈが第１角部Ｃ１ａに接触したり、第１部分Ｉ１ａが第２角部Ｃ２ａに接触したりする。延出部ＮＤＡ１において、第１溝部Ｖ１ａは第１角部Ｃ１ａと対向しておらず、第２溝部Ｖ２ａは第２角部Ｃ２ａと対向していない。そのため、延出部ＮＤＡ１において、第１溝部Ｖ１ａ及び第２溝部Ｖ２ａの本来の機能を発揮することは困難である。
【００８９】
そして、第１角部Ｃ１ａと対向する領域において中央部Ｈが表示セルＣＬに加える応力が大きくなったり、第２角部Ｃ２ａと対向する領域において第１部分Ｉ１ａが表示セルＣＬに加える応力が大きくなったりする。そのため、第１周辺領域ＡＰ１に位置する配線の断線など、不具合の発生を低減することが困難となる。  
上記のことから、比較例１では、高い精度で組み立てを行うことが可能な表示装置ＤＳＰを得ることは困難である。さらに、表示パネルＰＮＬの折り曲げ領域において、配線の断線など、不具合の発生を低減することは困難である。
【００９０】
（比較例２）
次に、比較例２に係る表示装置ＤＳＰについて説明する。図１５は、比較例２に係る表示装置ＤＳＰを示す断面図である。なお、比較例１と同様、比較例２の表示装置ＤＳＰは、照明装置ＩＬに対する表示パネルＰＮＬの相対的な位置を決定する手段を備えていない。
【００９１】
図１５に示すように、第１光学フィルムＯＦ１の第１周辺部Ｉ１は、第１部分Ｉ１ａを有していない。そのため、表示パネルＰＮＬは、照明装置ＩＬの第１側面ＭＳ１に接触していない。第１周辺部Ｉ１が第１部分Ｉ１ａを有している場合と比較して、第１周辺領域ＡＰ１に位置する配線の断線など、不具合の発生を低減することが困難となったり、延出部ＮＤＡ１における座屈の発生を低減することが困難となったりする。  
上記のことから、比較例２では、高い精度で組み立てを行うことが可能な表示装置ＤＳＰを得ることは困難である。さらに、表示パネルＰＮＬの折り曲げ領域の近傍において、配線の断線など、不具合の発生を低減することは困難である。
【００９２】
本発明の一実施形態を説明したが、上記の実施形態は、例として提示したものであり、発明の範囲を限定することは意図していない。上記の新規な実施形態は、その他の様々な形態で実施されることが可能であり、発明の要旨を逸脱しない範囲で、種々の省略、置き換え、変更を行うことができる。上記の実施形態やその変形は、発明の範囲や要旨に含まれるとともに、特許請求の範囲に記載された発明とその均等の範囲に含まれる。  
例えば、表示パネルＰＮＬに溝部Ｖを設ける際、第１光学フィルムＯＦ１及び第２光学フィルムＯＦ２を部分的に除去したりしたが、これに限定されるものではなく。例えば、第１光学フィルムＯＦ１及び第２光学フィルムＯＦ２のそれぞれの厚みを部分的に薄くし、表示パネルＰＮＬに溝部Ｖを設けてもよい。
【符号の説明】
【００９３】
ＤＳＰ…表示装置、ＩＬ…照明装置、Ｐ１ａ，Ｐ１ｂ，Ｐ２ａ，Ｐ２ｂ…突起、
Ｍ…本体、ＭＵ…上面、ＭＢ…下面、ＭＳ１，ＭＳ２，ＭＳ３，ＭＳ４…側面、
Ｃ１ａ，Ｃ１ｂ，Ｃ１ｃ，Ｃ１ｄ，Ｃ２ａ，Ｃ２ｂ，Ｃ２ｃ，Ｃ２ｄ…角部、
ＰＮＬ…表示パネル、ＣＯ１ａ，ＣＯ１ｂ…第１凹部、ＣＯ２ａ，ＣＯ２ｂ…第２凹部、
ＤＡ…表示領域、ＮＤＡ…非表示領域、Ｖ１ａ，Ｖ１ｂ，Ｖ２ａ，Ｖ２ｂ…溝部、
ＮＤＡ１，ＮＤＡ２，ＮＤＡ３，ＮＤＡ４…延出部、ＣＬ…表示セル、ＬＣ…液晶層、
ＳＵＢ１，ＳＵＢ２…基板、１０，２０…絶縁基板、ＧＤ…走査線駆動回路、
ＳＤ…信号線駆動回路、ＡＣ…中央領域、ＡＰ１，ＡＰ２，ＡＰ３，ＡＰ４…周辺領域、
ＡＰ１ａ，ＡＰ２ａ，ＡＰ３ａ，ＡＰ４ａ…第１領域、
ＡＰ１ｂ，ＡＰ２ｂ，ＡＰ３ｂ，ＡＰ４ｂ…第２領域、
ＡＰ１ｃ，ＡＰ２ｃ，ＡＰ３ｃ，ＡＰ４ｃ…第３領域、
ＡＰ１ｄ，ＡＰ２ｄ，ＡＰ３ｄ，ＡＰ４ｄ…第４領域、
ＷＬ１，ＷＬ２，ＷＬ３，ＷＬ４…配線、ＯＦ１…第１光学フィルム、Ｈ…中央部、
Ｉ１…第１周辺部、Ｉ２…第２周辺部、Ｉ３…第３周辺部、Ｉ４…第４周辺部、
Ｉ１ａ，Ｉ２ａ，Ｉ３ａ，Ｉ４ａ…第１部分、ＳＳ１，ＳＳ２，ＳＳ３，ＳＳ４…当接面、Ｉ１ｂ，Ｉ２ｂ，Ｉ３ｂ，Ｉ４ｂ…第２部分、ＰＬ１…第１偏光板、
ＯＦ２…第２光学フィルム、ＰＬ２…第２偏光板、Ｊ…中央部、Ｋ１…第１周辺部、
Ｋ３…第３周辺部、Ｋ１ａ，Ｋ３ａ…第１部分、Ｋ１ｂ，Ｋ３ｂ…第２部分、
ＤＤ…駆動ＩＣ、Ｆ１…配線基板、Ｌ１，Ｌ２，Ｌ３，Ｌ４…長さ、
Ｗ１ａ，Ｗ１ｂ，Ｗ２ａ，Ｗ２ｂ，Ｗ３ａ，Ｗ３ｂ，Ｗ４ａ，Ｗ４ｂ…幅、
ＴＣ，ＴＯ１，ＴＯ２…厚み。
【図１】
2020027203.tif 000003
【図２】
2020027203.tif 000004
【図３】
2020027203.tif 000005
【図４】
2020027203.tif 000006
【図５】
2020027203.tif 000007
【図６】
2020027203.tif 000008
【図７】
2020027203.tif 000009
【図８】
2020027203.tif 000010
【図９】
2020027203.tif 000011
【図１０】
2020027203.tif 000012
【図１１】
2020027203.tif 000013
【図１２】
2020027203.tif 000014
【図１３】
2020027203.tif 000015
【図１４】
2020027203.tif 000016
【図１５】
2020027203.tif 000017